(57)【特許請求の範囲】
【請求項１】
計量米びつであって、
米を貯留するための貯留室と貯留室内の米の落下を許容する落下口とを有する貯留体と、
上記落下口から落下した米を下方に投下するための投下口を有する筐体と、
上記落下口から落下した米を計量して上記投下口に導出可能な計量部材と、
上記計量部材を操作する操作部材であって、操作をする者による操作力を受けたときに上下方向に変位する操作力伝達部を有する操作部材とを備え、
上記計量部材は、上記落下口から落下した米が導入される導入口が形成された筒状の周壁と、当該周壁との間で一定量の米を収容するための収容室を定義する一対の側壁と、上記側壁のそれぞれに設けられて上記周壁の軸方向に沿って当該周壁から離間する方向に延びる一対の軸部と、上記操作力伝達部と着脱可能に係合する被操作部材とを備え、
上記筐体は、上記導入口が上記落下口と対向する導入位置と上記導入口が上記投下口と対向する導出位置との間で上記周壁の軸回りに回転可能で、かつ、上記計量部材が上記筐体に対して着脱可能な状態で上記計量部材の軸部を支持し、
上記被操作部材は、上記計量部材の周壁にこれと一体に回転可能に設けられるとともに、上記操作力伝達部の上下方向の変位に伴って上記計量部材が上記周壁の軸回りに回転するように当該操作力伝達部に係合されており、
上記被操作部材は、上記計量部材の周壁からそれぞれ当該周壁の径方向外側に延びるとともに、上記周壁の周方向に互いに対向する一対の当接板を備え、
上記操作力伝達部は、上記当接板間の空間内に上記周壁の径方向の外側から挿入されている、ことを特徴とする計量米びつ。
【請求項２】
計量米びつであって、
米を貯留するための貯留室と貯留室内の米の落下を許容する落下口とを有する貯留体と、
上記落下口から落下した米を下方に投下するための投下口を有する筐体と、
上記落下口から落下した米を計量して上記投下口に導出可能な計量部材と、
上記計量部材を操作する操作部材であって、操作をする者による操作力を受けたときに上下方向に変位する操作力伝達部を有する操作部材とを備え、
上記計量部材は、上記落下口から落下した米が導入される導入口が形成された筒状の周壁と、当該周壁との間で一定量の米を収容するための収容室を定義する一対の側壁と、上記側壁のそれぞれに設けられて上記周壁の軸方向に沿って当該周壁から離間する方向に延びる一対の軸部と、上記操作力伝達部と着脱可能に係合する被操作部材とを備え、
上記筐体は、上記導入口が上記落下口と対向する導入位置と上記導入口が上記投下口と対向する導出位置との間で上記周壁の軸回りに回転可能で、かつ、上記計量部材が上記筐体に対して着脱可能な状態で上記計量部材の軸部を支持し、
上記被操作部材は、上記計量部材の周壁にこれと一体に回転可能に設けられるとともに、上記操作力伝達部の上下方向の変位に伴って上記計量部材が上記周壁の軸回りに回転するように当該操作力伝達部に係合されており、
上記被操作部材は、上記計量部材の周壁の軸と直交し且つ当該周壁の軸方向の中心を通る平面を基準として対称となる形状を有することを特徴とする計量米びつ。
【請求項３】
請求項１または２に記載の計量米びつであって、
上記操作部材は、上記計量部材の周壁の軸と平行な方向に延びる軸回りに回転可能であり、
上記操作力伝達部は、上記操作部材の回転に伴って上記計量部材を回転させるように上記被操作部材に係合されていることを特徴とする計量米びつ。
【請求項４】
請求項３に記載の計量米びつであって、
上記操作部材は、上記計量部材の周壁の軸と直交する方向に延びる形状を有しており、
上記操作部材の上記計量部材の周壁の軸と直交する方向の一方端に上記操作力伝達部が設けられているとともに、上記操作部材の当該方向の他方端に上記操作力を受ける操作受付部が設けられていることを特徴とする計量米びつ。
【請求項５】
請求項４に記載の計量米びつであって、
上記筐体は、上記計量部材が上記導入位置にある状態で、当該計量部材が上記導入位置から上記導出位置に向かう方向に上記操作部材が回転するのを規制する操作部材導入側規制部を備えることを特徴とする計量米びつ。
【請求項６】
計量米びつであって、
米を貯留するための貯留室と貯留室内の米の落下を許容する落下口とを有する貯留体と、
上記落下口から落下した米を下方に投下するための投下口を有する筐体と、
上記落下口から落下した米を計量して上記投下口に導出可能な計量部材と、
上記計量部材を操作する操作部材であって、操作をする者による操作力を受けたときに上下方向に変位する操作力伝達部を有する操作部材とを備え、
上記計量部材は、上記落下口から落下した米が導入される導入口が形成された筒状の周壁と、当該周壁との間で一定量の米を収容するための収容室を定義する一対の側壁と、上記側壁のそれぞれに設けられて上記周壁の軸方向に沿って当該周壁から離間する方向に延びる一対の軸部と、上記操作力伝達部と着脱可能に係合する被操作部材とを備え、
上記筐体は、上記導入口が上記落下口と対向する導入位置と上記導入口が上記投下口と対向する導出位置との間で上記周壁の軸回りに回転可能で、かつ、上記計量部材が上記筐体に対して着脱可能な状態で上記計量部材の軸部を支持し、
上記被操作部材は、上記計量部材の周壁にこれと一体に回転可能に設けられるとともに、上記操作力伝達部の上下方向の変位に伴って上記計量部材が上記周壁の軸回りに回転するように当該操作力伝達部に係合されており、
上記操作部材は、上記計量部材の周壁の軸と平行な方向に延びる軸回りに回転可能であり、
上記操作力伝達部は、上記操作部材の回転に伴って上記計量部材を回転させるように上記被操作部材に係合されており、
上記操作部材は、上記計量部材の周壁の軸と直交する方向に延びる形状を有しており、
上記操作部材の上記計量部材の周壁の軸と直交する方向の一方端に上記操作力伝達部が設けられているとともに、上記操作部材の当該方向の他方端に上記操作力を受ける操作受付部が設けられており、
上記筐体は、上記計量部材が上記導出位置にある状態で、当該計量部材が上記導出位置から上記導入位置に向かう方向に上記操作部材が回転するのを規制する操作部材導出側規制部を備えることを特徴とする計量米びつ。
【請求項７】
計量米びつであって、
米を貯留するための貯留室と貯留室内の米の落下を許容する落下口とを有する貯留体と、
上記落下口から落下した米を下方に投下するための投下口を有する筐体と、
上記落下口から落下した米を計量して上記投下口に導出可能な計量部材と、
上記計量部材を操作する操作部材であって、操作をする者による操作力を受けたときに上下方向に変位する操作力伝達部を有する操作部材とを備え、
上記計量部材は、上記落下口から落下した米が導入される導入口が形成された筒状の周壁と、当該周壁との間で一定量の米を収容するための収容室を定義する一対の側壁と、上記側壁のそれぞれに設けられて上記周壁の軸方向に沿って当該周壁から離間する方向に延びる一対の軸部と、上記操作力伝達部と着脱可能に係合する被操作部材とを備え、
上記筐体は、上記導入口が上記落下口と対向する導入位置と上記導入口が上記投下口と対向する導出位置との間で上記周壁の軸回りに回転可能で、かつ、上記計量部材が上記筐体に対して着脱可能な状態で上記計量部材の軸部を支持し、
上記被操作部材は、上記計量部材の周壁にこれと一体に回転可能に設けられるとともに、上記操作力伝達部の上下方向の変位に伴って上記計量部材が上記周壁の軸回りに回転するように当該操作力伝達部に係合されており、
上記落下口から投下された米を受けるための米受け容器をさらに備え、
上記筐体は、上記計量部材の下で上記米受け容器を収容する容器収容室と上記容器収容室内の米受け容器の前方への引き出しを許容する開口部とを有する筐体本体と、上記米受け容器が上記筐体本体の容器収容室内に挿入された状態で上記開口部を通じた上記米受け容器の前方への引き出しを規制する容器引き出し規制部とを備え、
上記米受け容器は上記容器引き出し規制部に前方から当接可能な当接部を備え、
上記容器引き出し規制部は、上記計量部材が上記導入位置にある状態では上記米受け容器の上記当接部と当接する位置から退避する一方、上記計量部材が上記導出位置に向かって回転するのに伴い上記当接部と当接する位置に移動するように、上記操作部材に連結されていることを特徴とする計量米びつ。
【請求項８】
請求項７に記載の計量米びつであって、
上記筐体本体は、上記計量部材の下部を収容するための凹部が形成された上面を有し、
上記筐体は、上記凹部に収容された上記計量部材を上方から覆うとともに上記軸部を上記筐体本体との間で回転可能に挟持するように上記筐体本体に取り付けられたカバーを備え、
上記筐体本体は、上記筐体本体に対して上記カバーを着脱可能に係止するための複数のカバー係止部を有し、
上記複数のカバー係止部は、上記計量部材が上記凹部に収容された状態で上記計量部材の周壁の軸と直交し且つ当該周壁の軸方向の中心を通る平面を基準として対称配置されていることを特徴とする計量米びつ。
【請求項９】
計量米びつであって、
米を貯留するための貯留室と貯留室内の米の落下を許容する落下口とを有する貯留体と、
上記落下口から落下した米を下方に投下するための投下口を有する筐体と、
上記落下口から落下した米を計量して上記投下口に導出可能な計量部材と、
上記計量部材を操作する操作部材であって、操作をする者による操作力を受けたときに上下方向に変位する操作力伝達部を有する操作部材とを備え、
上記計量部材は、上記落下口から落下した米が導入される導入口が形成された筒状の周壁と、当該周壁との間で一定量の米を収容するための収容室を定義する一対の側壁と、上記側壁のそれぞれに設けられて上記周壁の軸方向に沿って当該周壁から離間する方向に延びる一対の軸部と、上記操作力伝達部と着脱可能に係合する被操作部材とを備え、
上記筐体は、上記導入口が上記落下口と対向する導入位置と上記導入口が上記投下口と対向する導出位置との間で上記周壁の軸回りに回転可能で、かつ、上記計量部材が上記筐体に対して着脱可能な状態で上記計量部材の軸部を支持し、
上記被操作部材は、上記計量部材の周壁にこれと一体に回転可能に設けられるとともに、上記操作力伝達部の上下方向の変位に伴って上記計量部材が上記周壁の軸回りに回転するように当該操作力伝達部に係合されており、
上記筐体は、上記計量部材の下部を収容するための凹部が形成された上面を有する筐体本体と、上記凹部に収容された上記計量部材を上方から覆うとともに上記軸部を上記筐体本体との間で回転可能に挟持するように上記筐体本体に取り付けられたカバーとを備え、
上記筐体本体は、上記筐体本体に対して上記カバーを着脱可能に係止するための複数のカバー係止部を有し、
上記複数のカバー係止部は、上記計量部材が上記凹部に収容された状態で上記計量部材の周壁の軸と直交し且つ当該周壁の軸方向の中心を通る平面を基準として対称配置されていることを特徴とする計量米びつ。
【請求項１０】
計量米びつであって、
米を貯留するための貯留室と貯留室内の米の落下を許容する落下口とを有する貯留体と、
上記落下口から落下した米を下方に投下するための投下口を有する筐体と、
上記落下口から落下した米を計量して上記投下口に導出可能な計量部材と、
上記計量部材を操作する操作部材であって、操作をする者による操作力を受けたときに上下方向に変位する操作力伝達部を有する操作部材とを備え、
上記計量部材は、上記落下口から落下した米が導入される導入口が形成された筒状の周壁と、当該周壁との間で一定量の米を収容するための収容室を定義する一対の側壁と、上記側壁のそれぞれに設けられて上記周壁の軸方向に沿って当該周壁から離間する方向に延びる一対の軸部と、上記操作力伝達部と着脱可能に係合する被操作部材とを備え、
上記筐体は、上記導入口が上記落下口と対向する導入位置と上記導入口が上記投下口と対向する導出位置との間で上記周壁の軸回りに回転可能で、かつ、上記計量部材が上記筐体に対して着脱可能な状態で上記計量部材の軸部を支持し、
上記被操作部材は、上記計量部材の周壁にこれと一体に回転可能に設けられるとともに、上記操作力伝達部の上下方向の変位に伴って上記計量部材が上記周壁の軸回りに回転するように当該操作力伝達部に係合されており、
上記筐体は、上記貯留体に対して着脱可能であり、
上記貯留体は、上記貯留室の周囲を取り囲むとともに上記貯留室を上に開放する開口を有する外側壁と、当該外側壁の開口の少なくとも一部を上方から覆うように当該外側壁の上端部に係合される補強壁とを備え、
上記補強壁は、上記外側壁の上端部に係合された状態で当該補強壁の外周面と上記外側壁の外周面とが面一となる形状を有することを特徴とする計量米びつ。
【請求項１１】
請求項１０に記載の計量米びつであって、
上記補強壁には、上記貯留室を上に開放するための開口部と、上記開口部の周縁となる部分において上記開口部の全周にわたって下方に凹むパッキン収容溝と、が形成されており、
上記貯留体は、上記補強壁の開口部を上方から覆う状態で当該補強壁に係止される蓋部と、上記パッキン収容溝内に収容されたパッキンと、を備え、
上記蓋部は、上記補強壁に係止された状態で上記パッキン収容溝の底面との間で上記パッキンを押圧するパッキン押圧部を備えることを特徴とする計量米びつ。
【発明の詳細な説明】
【技術分野】
【０００１】
本発明は、計量米びつに関する。
【背景技術】
【０００２】
従来から、米を貯留するとともに貯留している米を計量して所定の容器に導出する計量米びつが知られている。
【０００３】
例えば、特許文献１には、米を貯留する貯留室と、貯留室の底面に形成されて貯留室から米を落下させる落とし口と、落とし口の下方に設けられて一定量の米に対応する容積を有する回転計量升と、回転計量升を操作するための計量部操作手段とを有する米びつが開示されている。回転計量升は、円筒形を有し、米びつ本体を構成するキャビネットの側壁に回転可能に支持されている。具体的には、回転計量升には、その中心線に沿って回転計量升の内側を貫通するマス支持軸が嵌合されており、このマス支持軸の軸方向の両端がキャビネットの側壁に形成された孔に挿入されて支持されている。計量部操作手段は、この回転計量升を回転操作する。回転計量升には、落とし口と連通可能な開口が形成されている。
【０００４】
このように構成された米びつでは、回転計量升の開口が上を向いて落とし口と対向する位置に回転計量升が配置されると、これら開口および落下口を通って回転計量升の内側に米が導入される。一方、回転計量升の開口が下を向く位置に回転計量が回転操作されると、これら開口を通って回転計量升から一定量の米が回転計量升の下方に配置された容器に投下される。
【０００５】
この米びつでは、米を計量するための回転計量升の内側を回転軸が貫通しているため、回転計量升内に円滑に米が導入されず適切な計量が困難になるという問題が生じる。また、米びつには、メンテナンスおよび清掃のために回転計量升を容易に他の部材から取り出すことが求められているが、特許文献１の米びつでは、マス支持軸と側壁との嵌合を解除し、さらにこのマス支持軸をキャビネットの側壁から引き抜く必要があり、分解が容易ではないという問題がある。
【０００６】
これに対して、特許文献２には、米を計量するための升部材の本体部から外側に軸部が設けられるとともに升部材が米びつ本体に着脱可能に取り付けられた米びつが開示されている。
【０００７】
具体的には、特許文献２には、米を貯留するとともに貯留している米を落下させる落下口が形成された上部体と、上部体の下方に設けられる下部体とを備え、下部体に、一定量の米に対応する容積を有する計量升と、計量升を回転可能に支持する下部筐体と、計量升を回転操作する操作部材および計量升で計量された米を受け取る容器とが設けられた計量米びつが開示されている。
【０００８】
計量升は、略円筒状を有し内側に所定の空間を有する本体部と、本体部の前端面から前方に向かって略円柱状の軸部が延びている。下部体の筐体には、下方に凹み計量升の軸部が上方から挿入されることでこれを回転可能に支持する軸受が形成されている。軸部の前端面にはカム円板が設けられており、このカム円板と操作部材とが軸部の中心から径方向に離れた位置で係合している。
【０００９】
このように構成された計量米びつでは、計量升の本体部の内側に軸部が貫通しておらず
、本体部内に米を円滑に導入することができる。また、計量升の軸部を筐体の軸受から上方に引き抜くことで計量升だけをその他の部分から容易に取り出すことができる。
【先行技術文献】
【特許文献】
【００１０】
【特許文献１】特開２００６−３４６０５０号公報
【特許文献２】特許第３８４９０９９号
【発明の概要】
【発明が解決しようとする課題】
【００１１】
しかしながら、特許文献２の計量米びつでは、計量升を安定して回転させることができず操作性が良好でないという問題がある。
【００１２】
具体的には、この計量米びつでは、上記のように、操作部材が、計量升において本体部から前方に離れて位置する部分（カム円板）と係合している。そのため、計量升の前側部分に大きな力が付与されて後側部分には十分な力が付与されない。すなわち、操作部材に加えられた力が、計量升に、その回転軸方向について均等に付与されない。従って、計量升が傾き、計量升の軸部の中心軸と計量升の適正な回転軸（計量升を支持する機構により規定される回転軸）とがずれてしまい、計量升が安定して回転しにくくなる。
【００１３】
本発明の目的は、容易に分解でき且つ米をより適切に計量しながら操作性をより高めることのできる計量米びつを提供することにある。
【課題を解決するための手段】
【００１４】
上記課題を解決するためのものとして、本発明は、計量米びつであって、米を貯留するための貯留室と貯留室内の米の落下を許容する落下口とを有する貯留体と、上記落下口から落下した米を下方に投下するための投下口を有する筐体と、上記落下口から落下した米を計量して上記投下口に導出可能な計量部材と、上記計量部材を操作する操作部材であって、操作をする者による操作力を受けたときに上下方向に変位する操作力伝達部を有する操作部材とを備え、上記計量部材は、上記落下口から落下した米が導入される導入口が形成された筒状の周壁と、当該周壁との間で一定量の米を収容するための収容室を定義する一対の側壁と、上記側壁のそれぞれに設けられて上記周壁の軸方向に沿って当該周壁から離間する方向に延びる一対の軸部と、上記操作力伝達部と着脱可能に係合する被操作部材とを備え、上記筐体は、上記導入口が上記落下口と対向する導入位置と上記導入口が上記投下口と対向する導出位置との間で上記周壁の軸回りに回転可能で、かつ、上記計量部材が上記筐体に対して着脱可能な状態で上記計量部材の軸部を支持し、上記被操作部材は、上記計量部材の周壁にこれと一体に回転可能に設けられるとともに、上記操作力伝達部の上下方向の変位に伴って上記計量部材が上記周壁の軸回りに回転するように当該操作力伝達部に係合されており、上記被操作部材は、上記計量部材の周壁からそれぞれ当該周壁の径方向外側に延びるとともに、上記周壁の周方向に互いに対向する一対の当接板を備え、上記操作力伝達部は、上記当接板間の空間内に上記周壁の径方向の外側から挿入されている、ことを特徴とする計量米びつを提供する。
【００１５】
この構成では、計量部材だけをその他の部分から取り出すことができ、計量部材およびその周囲のメンテナンスや清掃を容易に行うことができる。
【００１６】
しかも、計量部材の軸部がそれぞれ収容室を区画する側壁に周壁から離間する方向に延びるとともに、操作部材に加えられた操作力が伝達される被操作部材が、計量部材のうち収容室を区画する両側壁間に位置する周壁にこれと一体に回転可能に設けられている。そのため、収容室の内側に軸部が設けられる場合に比べて収容室内に米をより円滑に且つ均一に導入して、米の計量をより適切に行いつつ、計量部材に対して、その軸方向についてより均一に操作力を付与することができ、計量部材を安定して回転させることができる。特に、周壁部分は、収容室に米が導入されることでその重量が他の部分よりも大きくなる
。従って、この重量の大きい周壁に設けられた被操作部材に操作力伝達部から直接操作力が加えられることで、計量部材をより安定して回転させることができる。
【００１７】
従って、この構成によれば、メンテナンス性等を高め且つ米のより適切な計量を実現しつつ操作性を良好にすることができる。
【００１８】
さらに、上記周壁の周方向に互いに対向する一対の当接板を備え、上記操作力伝達部は、上記当接板間の空間内に上記周壁の径方向の外側から挿入されている。
【００１９】
この構成によれば、簡単な構成で、操作力伝達部を被操作部材に対して着脱可能に連結することができる。しかも、操作力伝達部を被操作部材に周壁の周方向の両側から当接させることができる。そのため、操作力伝達部によって被操作部材をより確実に周壁の周方向に移動させることすなわち回転させることができる。従って、操作性をより良好にすることができる。
【００２０】
また、本発明は、計量米びつであって、米を貯留するための貯留室と貯留室内の米の落下を許容する落下口とを有する貯留体と、上記落下口から落下した米を下方に投下するための投下口を有する筐体と、上記落下口から落下した米を計量して上記投下口に導出可能な計量部材と、上記計量部材を操作する操作部材であって、操作をする者による操作力を受けたときに上下方向に変位する操作力伝達部を有する操作部材とを備え、上記計量部材は、上記落下口から落下した米が導入される導入口が形成された筒状の周壁と、当該周壁との間で一定量の米を収容するための収容室を定義する一対の側壁と、上記側壁のそれぞれに設けられて上記周壁の軸方向に沿って当該周壁から離間する方向に延びる一対の軸部と、上記操作力伝達部と着脱可能に係合する被操作部材とを備え、上記筐体は、上記導入口が上記落下口と対向する導入位置と上記導入口が上記投下口と対向する導出位置との間で上記周壁の軸回りに回転可能で、かつ、上記計量部材が上記筐体に対して着脱可能な状態で上記計量部材の軸部を支持し、上記被操作部材は、上記計量部材の周壁にこれと一体に回転可能に設けられるとともに、上記操作力伝達部の上下方向の変位に伴って上記計量部材が上記周壁の軸回りに回転するように当該操作力伝達部に係合されており、上記被操作部材は、上記計量部材の周壁の軸と直交し且つ当該周壁の軸方向の中心を通る平面を基準として対称となる形状を有することを特徴とする計量米びつを提供する。
【００２１】
この構成によれば、計量部材の周壁にその軸方向についてより確実に均一に操作力を付与することができ、操作性をより確実に良好にすることができる。
【００２２】
上記構成において、上記操作部材は、上記計量部材の周壁の軸と平行な方向に延びる軸回りに回転可能であり、上記操作力伝達部は、上記操作部材の回転に伴って上記計量部材を回転させるように上記被操作部材に係合されているのが好ましい。
【００２３】
この構成によれば、例えば操作部材を上下方向にスライド変位可能に支持する場合に比べて、より簡単な構成で、操作力伝達部が上下方向に変位可能な状態で操作部材を筐体に支持させることができる。
【００２４】
上記構成において、上記操作部材は、上記計量部材の周壁の軸と直交する方向に延びる形状を有しており、上記操作部材の上記計量部材の周壁の軸と直交する方向の一方端に上記操作力伝達部が設けられているとともに、上記操作部材の当該方向の他方端に上記操作力を受ける操作受付部が設けられているのが好ましい。
【００２５】
この構成によれば、操作受付部を上下方向に操作するという簡単な操作で、上記操作力伝達部を上下方向に変位させることができるとともに、リンク部材等を介して操作受付部と操作力伝達部とが連結される場合に比べて、操作受付部に加えられた力をより適切に操作力伝達部および計量部材に伝えることができる。
【００２６】
前記構成において、上記筐体は、上記計量部材が上記導入位置にある状態で、当該計量部材が上記導入位置から上記導出位置に向かう方向に上記操作部材が回転するのを規制する操作部材導入側規制部を備えるのが好ましい。
【００２７】
この構成によれば、計量部材を導入位置に操作して米を導入口および投下口を介して投下する際に、操作部材を操作し続ける必要がなく、操作性が良好になる。
【００２８】
また、本発明は、計量米びつであって、米を貯留するための貯留室と貯留室内の米の落下を許容する落下口とを有する貯留体と、上記落下口から落下した米を下方に投下するための投下口を有する筐体と、上記落下口から落下した米を計量して上記投下口に導出可能な計量部材と、上記計量部材を操作する操作部材であって、操作をする者による操作力を受けたときに上下方向に変位する操作力伝達部を有する操作部材とを備え、上記計量部材は、上記落下口から落下した米が導入される導入口が形成された筒状の周壁と、当該周壁との間で一定量の米を収容するための収容室を定義する一対の側壁と、上記側壁のそれぞれに設けられて上記周壁の軸方向に沿って当該周壁から離間する方向に延びる一対の軸部と、上記操作力伝達部と着脱可能に係合する被操作部材とを備え、上記筐体は、上記導入口が上記落下口と対向する導入位置と上記導入口が上記投下口と対向する導出位置との間で上記周壁の軸回りに回転可能で、かつ、上記計量部材が上記筐体に対して着脱可能な状態で上記計量部材の軸部を支持し、上記被操作部材は、上記計量部材の周壁にこれと一体に回転可能に設けられるとともに、上記操作力伝達部の上下方向の変位に伴って上記計量部材が上記周壁の軸回りに回転するように当該操作力伝達部に係合されており、上記操作部材は、上記計量部材の周壁の軸と平行な方向に延びる軸回りに回転可能であり、上記操作力伝達部は、上記操作部材の回転に伴って上記計量部材を回転させるように上記被操作部材に係合されており、上記操作部材は、上記計量部材の周壁の軸と直交する方向に延びる形状を有しており、上記操作部材の上記計量部材の周壁の軸と直交する方向の一方端に上記操作力伝達部が設けられているとともに、上記操作部材の当該方向の他方端に上記操作力を受ける操作受付部が設けられており、上記筐体は、上記計量部材が上記導出位置にある状態で、当該計量部材が上記導出位置から上記導入位置に向かう方向に上記操作部材が回転するのを規制する操作部材導出側規制部を備えることを特徴とする計量米びつを提供する。
【００２９】
この構成によれば、計量部材が自重等によって導出位置に移動して、米が投下口等を介して予期せず落下するのを抑制することができる。
【００３０】
また、本発明は、計量米びつであって、米を貯留するための貯留室と貯留室内の米の落下を許容する落下口とを有する貯留体と、上記落下口から落下した米を下方に投下するための投下口を有する筐体と、上記落下口から落下した米を計量して上記投下口に導出可能な計量部材と、上記計量部材を操作する操作部材であって、操作をする者による操作力を受けたときに上下方向に変位する操作力伝達部を有する操作部材とを備え、上記計量部材は、上記落下口から落下した米が導入される導入口が形成された筒状の周壁と、当該周壁との間で一定量の米を収容するための収容室を定義する一対の側壁と、上記側壁のそれぞれに設けられて上記周壁の軸方向に沿って当該周壁から離間する方向に延びる一対の軸部と、上記操作力伝達部と着脱可能に係合する被操作部材とを備え、上記筐体は、上記導入口が上記落下口と対向する導入位置と上記導入口が上記投下口と対向する導出位置との間で上記周壁の軸回りに回転可能で、かつ、上記計量部材が上記筐体に対して着脱可能な状態で上記計量部材の軸部を支持し、上記被操作部材は、上記計量部材の周壁にこれと一体に回転可能に設けられるとともに、上記操作力伝達部の上下方向の変位に伴って上記計量部材が上記周壁の軸回りに回転するように当該操作力伝達部に係合されており、上記落下口から投下された米を受けるための米受け容器をさらに備え、上記筐体は、上記計量部材の下で上記米受け容器を収容する容器収容室と上記容器収容室内の米受け容器の前方への引き出しを許容する開口部とを有する筐体本体と、上記米受け容器が上記筐体本体の容器収容室内に挿入された状態で上記開口部を通じた上記米受け容器の前方への引き出しを規制する容器引き出し規制部とを備え、上記米受け容器は上記容器引き出し規制部に前方から当接可能な当接部を備え、上記容器引き出し規制部は、上記計量部材が上記導入位置にある状態では上記米受け容器の上記当接部と当接する位置から退避する一方、上記計量部材が上記導出位置に向かって回転するのに伴い上記当接部と当接する位置に移動するように、上記操作部材に連結されていることを特徴とする計量米びつを提供する。
【００３１】
この構成によれば、計量部材が導入位置にあり米が導入口および投下口を介して投下されている状態で米受け容器が前方へ引き出されてしまい米受け容器から米がこぼれるのを抑制することができる。
【００３２】
前記構成において、上記筐体本体は、上記計量部材の下部を収容するための凹部が形成された上面を有し、上記筐体は、上記凹部に収容された上記計量部材を上方から覆うとともに上記軸部を上記筐体本体との間で回転可能に挟持するように上記筐体本体に取り付けられたカバーを備え、上記筐体本体は、上記筐体本体に対して上記カバーを着脱可能に係止するための複数のカバー係止部を有し、上記複数のカバー係止部は、上記計量部材が上記凹部に収容された状態で上記計量部材の周壁の軸と直交し且つ当該周壁の軸方向の中心を通る平面を基準として対称配置されているのが好ましい。
【００３３】
この構成によれば、カバーを筐体本体から取り外した状態で、計量部材を凹部に対して上下方向に挿抜することで計量部材を筐体に容易に着脱することができる。一方、カバーを筐体本体に取り付けることにより計量部材の軸部を筐体本体との間で回転可能に挟持することができるため、計量部材を安定して回転させることができる。しかも、筐体本体とカバーとを係止するための複数のカバー係止部が周壁の軸方向の中心に対して対称に配置されているため、周壁の軸方向に沿う方向についてカバーの変位をより均一にすることができ、これによって計量部材の周壁の軸方向についての変位の差を小さく抑えることができる。
【００３４】
また、本発明は、計量米びつであって、米を貯留するための貯留室と貯留室内の米の落下を許容する落下口とを有する貯留体と、上記落下口から落下した米を下方に投下するための投下口を有する筐体と、上記落下口から落下した米を計量して上記投下口に導出可能な計量部材と、上記計量部材を操作する操作部材であって、操作をする者による操作力を受けたときに上下方向に変位する操作力伝達部を有する操作部材とを備え、上記計量部材は、上記落下口から落下した米が導入される導入口が形成された筒状の周壁と、当該周壁との間で一定量の米を収容するための収容室を定義する一対の側壁と、上記側壁のそれぞれに設けられて上記周壁の軸方向に沿って当該周壁から離間する方向に延びる一対の軸部と、上記操作力伝達部と着脱可能に係合する被操作部材とを備え、上記筐体は、上記導入口が上記落下口と対向する導入位置と上記導入口が上記投下口と対向する導出位置との間で上記周壁の軸回りに回転可能で、かつ、上記計量部材が上記筐体に対して着脱可能な状態で上記計量部材の軸部を支持し、上記被操作部材は、上記計量部材の周壁にこれと一体に回転可能に設けられるとともに、上記操作力伝達部の上下方向の変位に伴って上記計量部材が上記周壁の軸回りに回転するように当該操作力伝達部に係合されており、上記筐体は、上記計量部材の下部を収容するための凹部が形成された上面を有する筐体本体と、上記凹部に収容された上記計量部材を上方から覆うとともに上記軸部を上記筐体本体との間で回転可能に挟持するように上記筐体本体に取り付けられたカバーとを備え、上記筐体本体は、上記筐体本体に対して上記カバーを着脱可能に係止するための複数のカバー係止部を有し、上記複数のカバー係止部は、上記計量部材が上記凹部に収容された状態で上記計量部材の周壁の軸と直交し且つ当該周壁の軸方向の中心を通る平面を基準として対称配置されていることを特徴とする計量米びつを提供する。
【００３５】
この構成によれば、上記のように、計量部材を凹部に対して上下方向に挿抜することで計量部材を筐体に容易に着脱することができるとともに、複数のカバー係止部によって計量部材の周壁の軸方向についての変位の差を小さく抑えることができる。
【００３６】
また、本発明は、計量米びつであって、米を貯留するための貯留室と貯留室内の米の落下を許容する落下口とを有する貯留体と、上記落下口から落下した米を下方に投下するための投下口を有する筐体と、上記落下口から落下した米を計量して上記投下口に導出可能な計量部材と、上記計量部材を操作する操作部材であって、操作をする者による操作力を受けたときに上下方向に変位する操作力伝達部を有する操作部材とを備え、上記計量部材は、上記落下口から落下した米が導入される導入口が形成された筒状の周壁と、当該周壁との間で一定量の米を収容するための収容室を定義する一対の側壁と、上記側壁のそれぞれに設けられて上記周壁の軸方向に沿って当該周壁から離間する方向に延びる一対の軸部と、上記操作力伝達部と着脱可能に係合する被操作部材とを備え、上記筐体は、上記導入口が上記落下口と対向する導入位置と上記導入口が上記投下口と対向する導出位置との間で上記周壁の軸回りに回転可能で、かつ、上記計量部材が上記筐体に対して着脱可能な状態で上記計量部材の軸部を支持し、上記被操作部材は、上記計量部材の周壁にこれと一体に回転可能に設けられるとともに、上記操作力伝達部の上下方向の変位に伴って上記計量部材が上記周壁の軸回りに回転するように当該操作力伝達部に係合されており、上記筐体は、上記貯留体に対して着脱可能であり、上記貯留体は、上記貯留室の周囲を取り囲むとともに上記貯留室を上に開放する開口を有する外側壁と、当該外側壁の開口の少なくとも一部を上方から覆うように当該外側壁の上端部に係合される補強壁とを備え、上記補強壁は、上記外側壁の上端部に係合された状態で当該補強壁の外周面と上記外側壁の外周面とが面一となる形状を有することを特徴とする計量米びつを提供する。
【００３７】
この構成によれば、貯留体の変形を抑制することができるとともに、見栄えを良好にすることができる。
【００３８】
具体的には、貯留体は筐体に対して着脱可能に連結されており、これらは別体で構成されている。また、貯留室に米を補充するために貯留体は上方に開口していることが好ましい。このような構成においては、貯留体と筐体とが一体で構成される場合に比べて貯留体の剛性が弱くなり、多量の米が投入された際等において貯留体の外側壁が変形しやすい。これに対して、この構成では、貯留体の外側壁と貯留体の上面を構成する補強壁とが別体で構成されて補強壁が外側壁に係止される。そのため、外側壁の変形を補強壁により規制することができる。しかも、この構成では、外側壁と補強壁とが、その外側面において、上下方向について略平坦に連続するように、すなわち、面一となるように構成されている。そのため、外側壁と補強壁とを別体で構成することで外側壁の変形を抑制しつつ、見栄えを良好にすることができる。
【００３９】
前記構成において、上記補強壁には、上記貯留室を上に開放するための開口部と、上記開口部の周縁となる部分において上記開口部の全周にわたって下方に凹むパッキン収容溝と、が形成されており、上記貯留体は、上記補強壁の開口部を上方から覆う状態で当該補強壁に係止される蓋部と、上記パッキン収容溝内に収容されたパッキンと、を備え、上記蓋部は、上記補強壁に係止された状態で上記パッキン収容溝の底面との間で上記パッキンを押圧するパッキン押圧部を備えるのが好ましい。
【００４０】
この構成によれば、上記のように、補強壁と外側壁とを別体で構成して外側壁の変形を抑制しながら、米を貯留体に上方から容易に投入することができる開口部を確保することができる。ここで、このように開口部を補強壁すなわち計量米びつの上面に設けた場合には、上方から滴下した水が貯留体の内側に進入しやすい。これに対して、この構成では、開口部の周縁にその全周にわたってパッキンが設けられて、蓋部を閉めた状態で蓋部のパッキン押圧部とパッキン収容溝の底面との間でパッキンが押圧されるようになっている。そのため、パッキン押圧部とパッキン収容溝の底面との間の隙間をパッキンで塞ぐことができ、水が貯留体の内側に進入するのを抑制することができる。
【発明の効果】
【００４１】
本発明によれば、容易に分解でき且つ米をより適切に計量しながら操作性をより高めることができる。
【図面の簡単な説明】
【００４２】
【図１】本発明の計量米びつの一実施形態を示した概略斜視図である。
【図２】図１のＩＩ−ＩＩ線断面図である。
【図３】貯留体本体の概略分解斜視図である。
【図４】図２のＩＶ矢示部の拡大図である。
【図５】蓋部を下方から見た概略斜視図である。
【図６】計量部の概略分解斜視図である。
【図７】筐体の概略平面図である。
【図８】筐体の上面を示した概略斜視図である。
【図９】引き出しストッパの概略斜視図である。
【図１０】操作レバーの側面図である。
【図１１】図１０のＸＩＶ−ＸＩＶ線断面図である。
【図１２】図7のＸＩＩ−ＸＩＩ線断面に対応する図である。
【図１３】操作レバーを導出位置に配置した状態での図１２に対応する図である。
【図１４】引き出しストッパの動作を説明するための図である。
【図１５】引き出しストッパの動作を説明するための図である。
【図１６】計量部の概略たて断面図である。
【図１７】図１６のＸＶＩＩ−ＸＶＩＩ線断面図である。
【図１８】アダプタの正面図である。
【図１９】ドラムを筐体に装着した状態を示す概略断面図である。
【図２０】ドラムを操作部材に連結する際の手順を説明するための図である。
【図２１】カバーの平面図である。
【図２２】図２１のＸＸＩＩ−ＸＸＩＩ線断面図である。
【発明を実施するための形態】
【００４３】
以下、添付図面を参照しながら、本発明の実施の形態について説明する。なお、以下の実施の形態は、本発明を具体化した例であって、本発明の技術的な範囲を限定するものではない。
【００４４】
図１は、本実施形態に係る計量米びつ１の全体構成を示した概略斜視図である。図２は、図１のＩＩ−ＩＩ線断面図である。これら図に示すように、本実施形態に係る計量米びつ１は、略直方体状を有する。より詳細には、後述する筐体本体５０のうちの操作レバー７０の操作受付部７８が露出するとともに後述するトレー９０が挿抜される側壁５１ａの幅が、この側壁５１ａと直交する方向の寸法よりも小さく設定されており、幅の狭い空間にも配置できるようになっている。以下では、平面視における計量米びつ１の長手方向であって図２における左右方向を前後方向、かつ、側壁５１ａ側を前とし、平面視における計量米櫃の短手方向を左右方向とし、図２における紙面手前側を左として説明する。
【００４５】
計量米びつ１は、内側に米を貯留する貯留室１１が形成された貯留体１１０と、米を計量して取り出すための下部体１２０とを備える。下部体１２０は貯留体１１０の下方に貯留体１１０と着脱可能に連結されている。
【００４６】
（１）貯留体
図３は、貯留体１１０の概略分解斜視図である。
【００４７】
貯留体１１０は、貯留体本体２０と、貯留体本体２０の上方の開口２０ａを塞ぐように貯留体本体２０に取り付けられる補強板（補強壁）３０と、補強板３０に形成された開口部３０ａを開閉する蓋部４０とを有する。これらは、互いに別体で形成されている。
【００４８】
図３に示すように、貯留体本体２０は、貯留室１１の周囲を取り囲む側壁（外側壁）２１、貯留室１１を上に開放する開口部２０ａと、貯留室１１の底面を構成する底壁２５とを有する。
【００４９】
底壁２５には、これを上下に貫通して、貯留室１１内の米が下方に落下するのを許容する落下口２５ａが形成されている。
【００５０】
側壁２１は、貯留室１１の周囲を囲んでいる。側壁２１は、それぞれ上下方向に延びて計量米びつ１の前面、後面、右面、左面をそれぞれ構成する前側壁２１ａ、後側壁２１ｂ、右側壁２１ｃ、左側壁２１ｄとを含む。これら各側壁２１ａ〜２１ｄは、板状部材であり、これらの側壁２１ａ〜２１ｄの上縁で囲まれた部分が上記開口２０ａを形成している。
【００５１】
底壁２５は、これら側壁２１ａ〜２１ｄの内側面から落下口２５ａに向かって下向きに傾斜している。
【００５２】
計量米びつ１の前面、後面、右面、左面をそれぞれ構成する各側壁２１ａ〜２１ｄの外側面は、これらがつながる部分をのぞき、それぞれ略平面となっている。
【００５３】
各側壁２１ａ〜２１ｄの上端部には、それぞれ、貯留室１１の内側に向かって水平方向に突出する係止突起２２が形成されている。また、各側壁２１ａ〜２１ｄの上端部には、貯留室１１の内側に向かって突出して、貯留体本体２０の剛性を高めるための複数のリブ２３が形成されている。
【００５４】
前側壁２１ａには、貯留室１１内を確認するための透明パネル２９（図２参照）が嵌め込まれる開口部２１ｅが形成されている。
【００５５】
図３の破線および図２に示すように、後側壁２１ｂの下部の左右方向の中央部分は前方に凹んでおり、後側壁２１ｂの左右方向の中央の下端部には、水平方向に延びる連結面２１ｆが形成されている。
【００５６】
補強板３０は、貯留体本体２０の開口２０ａ、すなわち、各側壁２１ａ〜２１ｄの上縁で囲まれた空間を上方から覆う天板３１と、天板３１の下面から下方に突出する脚部３２とを有する。
【００５７】
補強板３０は、貯留体１１０の剛性を高めてこれの変形を抑制するための部材である。具体的には、上記のように、貯留体本体２０の側壁２１ａ〜２１ｄは上下方向に延びる板状を有しており、これらの上縁は開口２０ａを区画するように開放されている。そのため、貯留室１１内に多量の米が投入されてこれら側壁２１ａ〜２１ｄに外周方向の力が加えられると（上記補強板３０が取り付けられていない状態で）、側壁２１ａ〜２１ｄの上端付近が水平方向に容易に変形してしまうおそれがある。これに対して、補強板３０が側壁２１ａ〜２１ｄの上端に係止されていれば、補強板３０が各側壁２１ａ〜２１ｄの水平方向の変形や変位を規制する。すなわち、補強板３０が取り付けられた状態では、各側壁２１ａ〜２１ｄの上端付近が水平方向に変形するためにはこの水平方向に延びる補強板３０を変形させる必要があるため、各側壁２１ａ〜２１ｄの上端付近は容易には変形または変位できなくなる。従って、補強板３０が貯留体本体２０に取り付けれることで、貯留体１１０の変形は抑制される。特に、本実施形態では、補強板３０に下方に突出する脚部３２が設けられて、補強板３０自体の剛性が高められているため、貯留体１１０の剛性をより一層高めることができる。
【００５８】
脚部３２は、天板３１の外周縁よりもわずかに内側の位置において、天板３１のほぼ全周にわたって設けられている。
【００５９】
脚部３２の下縁の複数の位置からはさらに下方に被係止部３３が延びている。被係止部３３には、これを水平方向に貫通する被係止孔３３ａが形成されている。
【００６０】
補強板３０は、被係止孔３３ａが、各側壁２１ａ〜２１ｄに設けられた係止突起２２と係合することで貯留体本体２０に係止される。
【００６１】
図４は、図２のＩＶで示した部分を拡大して示した図である。図４および図２に示すように、補強板３０が貯留体本体２０に係止された状態において、補強板３０は、各側壁２１ａ〜２１ｄの上縁に上方から当接する。
【００６２】
ここで、補強板３０は、平面視で、各側壁２１ａ〜２１ｄの上縁で区画される略長方形の空間とほぼ同じ長方形状を有しており、補強板３０が貯留体本体２０に係止された状態において、補強板３０（天板３１）の外周面３１ａと各側壁２１ａ〜２１ｄの外側面２１ｇとは上下方向について略平坦に連続する。すなわち、これらの面は面一となる。これに伴って、図１に示すように、計量米びつ１の上部は、その外側面に段差を有しない外形となる。
【００６３】
前記のように、補強板３０には開口部３０ａが形成されている。具体的には、天板３１の中央に開口部３０ａが形成されている。
【００６４】
図２および図４に示すように、天板３１の開口部３０ａの周囲には、下方に凹むパッキン収容溝３６が形成されている。具体的には、天板３１には、開口部３０ａの周縁から水平方向に延びるつば部３４と、つば部３４の外周縁から上方に延びる立壁３５とが設けられている。そして、このつば部３４に下方に凹むパッキン収容溝３６が形成されている。パッキン収容溝３６は、つば部３４の全周にわたって形成されている。このパッキン収容溝３６には、リング状のパッキン３００が挿入されている。
【００６５】
図５は、蓋部４０の概略斜視図である。なお、図５は、補強板３０に取り付けられた状態において下方となる方向から見た図である。
【００６６】
蓋部４０は、天板３１の開口部３０ａを上方から覆う上面部４１と、上面部４１から下方（蓋部４０が開口部３０ａを覆った状態において）に突出する脚部４２と、上面部４１のうち脚部４２よりも外周側の部分から下方に突出するパッキン押圧部４３とを有する。脚部４２およびパッキン押圧部４３はそれぞれ蓋部４０の全周にわたって設けられている。
【００６７】
脚部４２の複数の位置には、外周側に突出する係止突起４２ａが設けられている。図４に示すように、脚部４２が補強板３０の開口部３０ａ内に挿入された状態で係止突起４２ａは補強板３０のつば部３４の内周縁に下方から当接する。そして、これにより蓋部４０は補強板３０に係止される。
【００６８】
ここで、上面部４１は、開口部３０ａに加えてつば部３４の上方を覆うことが可能な大きさを有しており、図２等に示すように、上面部４１は、立壁３５で囲まれた部分全体を上方から覆う。
【００６９】
図４に示すように、パッキン押圧部４３は、蓋部４０が補強板３０に係止された状態で天板３１のパッキン収容溝３６の上方に位置するように配置されており、この状態で脚部４２はパッキン３００を下方に押圧する。これにより、蓋部４０が補強板３０に係止されて開口部３０ａを塞いだ状態において、パッキン３００は、パッキン収容溝３６の底面と脚部４２とに密着してこれらの隙間を塞ぐ。
【００７０】
（２）下部体
図６は、下部体１２０の概略分解斜視図である。
【００７１】
下部体１２０は、計量米びつ１の外側面の一部を構成する筐体１２１と、ドラム（計量部材）６０と、操作レバー（操作部材）７０と、トレー（米受け容器）９０と、下部補強板５９とを有する。
【００７２】
＜筐体＞
筐体１２１は、筐体本体５０と、ストッパ（容器引き出し規制部）３１０（図９、図１５参照）と、カバー８０とを備える。ここでは、筐体本体５０とストッパ３１０とについて説明し、カバー８０については後述する。
【００７３】
筐体本体５０は略直方体の外形を有しており、計量米びつ１の下部の前面、後面、右面、左面を構成する前側壁５１ａ、後側壁５１ｂ、右側壁５１ｃ、左側壁５１ｄ、および、貯留体１１０の底壁２５と対向して筐体本体５０の上面を構成する上壁５１ｅを含む。これら壁５１ａ〜５１ｅは互いに一体に形成されている。一方、図６に示すように、本実施形態では、筐体本体５０の底面は筐体本体５０とは別体で構成されており、下部補強板５９が筐体本体５０の底面を構成する。下部補強板５９は、不図示の係合部材によって各側壁５１ａ〜５１ｄの下端部に係合する。本実施形態では、下部補強板５９は、筐体本体５０の内側に取り付けられる。
【００７４】
筐体本体５０の後側壁５１ｂには、その左右方向の中央付近に留め具５８が取り付けられている。留め具５８は、図２の実線と破線とで示すように、前後方向に搖動可能に取り付けられている。
【００７５】
図２の実線で示すように、留め具５８が前方に搖動した状態において、留め具５８の先端部５８ａは貯留体本体２０の連結面２１ｆと係合し、これにより、筐体本体５０ひいては下部体１２０と貯留体１１０とが連結される。一方、破線で示すように留め具５８が後方に搖動すると、上記係合が解除されて筐体本体５０ひいては下部体１２０と貯留体１１０との連結は解除される。
【００７６】
図１等に示すように、下部体１２０と貯留体１１０とが連結された状態において、筐体本体５０の各側壁５１ａ〜５１ｄの外側面と貯留体１１０の各側壁２１ａ〜２１ｄの外側面２１ｇとは面一となり、計量米びつ１の外側面は段差を有さず、上下方向に連続した面で構成される。
【００７７】
図７は、筐体本体５０の概略平面図である。図８は、筐体本体５０の上面、詳細には、上壁５１ｅの上面の一部を示した概略斜視図である。
【００７８】
筐体本体５０の上面には、下方に凹み、後述するようにドラム６０の下半部および操作レバー７０の一部を内側に収容する第１凹部（凹部）２１０と、第１凹部２１０の前方に位置して第１凹部２１０と連通する第２凹部２５０とが形成されている。
【００７９】
第１凹部２１０は、平面視で、左右方向に延びる略長方形状を有している。
【００８０】
第１凹部２１０の下部の略中央には左右に延びる升収容部２１１が形成されている。この升収容部２１１は、断面略半円形の内周面を有しており、升収容部２１１の内周面は、升収容部２１１の前後方向の中央に向かって下方に湾曲している。
【００８１】
升収容部２１１の底壁２１１ａには、底壁２１１ａを上下に貫通する左右方向に長い長方形状の投下口２１２が形成されている。下部体１２０と貯留体１１０とが連結された状態で、投下口２１２は落下口２５ａの下方に位置してこれに対向する。
【００８２】
升収容部２１１の上縁からは外周側に向かって水平方向に横壁２１３が延びている。すなわち、第１凹部２１０の内周面には、第１凹部２１０の内側に向かう段部が形成されており、第１凹部２１０の内周面からは第１凹部２１０の内側に向かって突出する横壁２１３が設けられている。そして、この横壁２１３の内周縁から下方に升収容部２１１が形成されている。
【００８３】
横壁２１３のうち升収容部２１１の左右方向の両外側の部分には、下方に凹む断面半円形のドラム軸受２１４が形成されている。ドラム軸受２１４の中心軸と升収容部２１１の中心軸とが一致するように設けられている。
【００８４】
横壁２１３の前縁および後縁からは、第１凹部２１０の前側面および後側面の一部を構成する立壁２１５が上方に延びている。具体的には、横壁２１３の後縁からは、横壁２３１の軸方向の前後両端付近全体にわたって立壁２１５が上方に延びている。また、第１凹部２１０の前縁からは、その左右両端付近から立壁２１５が上方に延びている。
【００８５】
これら立壁２１５には、それぞれこれを水平方向に貫通する係止孔（カバー係止部）２１５ａが形成されている。
【００８６】
これら係止孔２１５ａは、升収容部２１１の中心軸と直交し且つ升収容部２１１の左右方向の中心を通る平面を基準として、互いに対称となる位置に設けられている。すなわち、これら係止孔２１５ａは、升収容部２１１の左右方向の中心線に対して互いに対称となる位置に設けられている。係止孔２１５ａは、升収容部２１１の左右方向の両縁付近に形成されている。
【００８７】
より詳細には、後側の立壁２１５には、２つの係止孔２１５ａが升収容部２１１の左右方向の中心に対して対称に配置されている。そして、これら係止孔２１５ａと対向する係止孔２１５ａが前側の２つの立壁２１５にそれぞれ形成されている。
【００８８】
第２凹部２５０は、左右方向に並び上下方向に延びる一対の立壁部２５１の間に区画されている。
【００８９】
各立壁部２５１の上端には、これを左右方向に貫通するレバー側軸孔２５１ａがそれぞれ形成されている。このレバー側軸孔２５１ａは、前後方向に延び、かつ、その後端において上方に開口している。
【００９０】
各立壁部２５１は、上下方向に延びる軸受壁２５５を有する。これら軸受壁２５５は、立壁部２５１の上面の左右方向の外側縁から下方に延びている。より詳細には、側面視で軸受壁２５５は、レバー側軸孔２５１ａの下縁よりも上方の位置まで延びている。軸受壁２５５の前端部分には、その下面から上方に凹む円弧上のレバー側軸受部２５５ａが形成されている。
【００９１】
左側の立壁部２５１の前部の上端には、上下方向に延び、かつ、上方に開口するストッパ案内孔２５２が形成されている。
【００９２】
具体的には、ストッパ案内孔２５２は、左側の立壁部２５１（筐体本体５０の底面）を上下方向に貫通する連通孔２５１ｂと、連通孔２５１ｂから右側に延びるとともに上向きに開口する摺動孔２５２ａと、を有している。
【００９３】
このストッパ案内孔２５２には、図９に示す引き出しストッパ（ストッパ、容器引き出し規制部）３１０が装着される。図９に示すように、引き出しストッパ３１０は、略長方形の板状部分３１１と板状部分３１１の長手方向一方端から突出する円柱状の突起部３１２とを有している。板状部分３１１の長手方向他方端には、切欠き３１１ａが形成されている。
【００９４】
この引き出しストッパ３１０は、図１４に示すように、突起部３１２が摺動孔２５２ａに挿入されることで、突起部３１２が上側に位置し切欠き３１１ａが下側に位置する姿勢
で立壁部２５１に装着される。そして、引き出しストッパ３１０は、立壁部２５１によって、上下方向にスライド可能に支持される。なお、図１４は、摺動孔２５２ａに突起部３１２が挿入された状態で、このストッパ案内孔２５２周りをみた概略側面図である。
【００９５】
図８に戻り、第２凹部２５０の底壁２５３には、上下方向に弾性変形可能な板状の保持用係止片（操作部材導出側規制部）２５４が設けられている。具体的には、保持用係止片２５４は、底壁２５３に形成された孔２５３ａ内に設けられ、底壁２５３に連結された前縁と、上下方向に弾性変位可能な後部と、を有している。
【００９６】
図２に示すように、保持用係止片２５４の後端部には、上方にわずかに膨出するとともに後方に向かって先細りとなる膨出部２５４ａが形成されている。
【００９７】
また、図７および図８に示すように、前側の２つの立壁２１５の間には、略直方体の中間壁部２５６が設けられているとともに、この中間壁部２５６の左右両側面にはそれぞれ左右方向の外側に突出する保持突起２５７（操作部材導入側規制部）が設けられている。
【００９８】
＜操作レバー＞
図１０は、操作レバー７０の側面図である。図１１は、図１０のＸＩＶ−ＸＩＶ線断面図である。操作レバー７０は、図２等に示すように、その一部が、計量米びつ１の前面に露出した状態で筐体本体５０に取付られる。具体的には、筐体本体５０の前側壁５１ａの上部の左右方向の中央には、後方に凹むレバー収容室５２ａが形成されており、このレバー収容室５２ａの後面に前後方向にこれを貫通するレバー操作口５２ｂが形成されている。そして、レバー操作口５２ｂから前方に操作レバー７０の後述する操作受付部７８が突出している。以下の操作レバー７０の説明では、操作レバー７０が筐体本体５０に取り付けられた状態での前後、左右、上下方向を単に前後、左右、上下方向として説明する。
【００９９】
操作レバー７０は、前後方向に延びる形状を有し、中空のブロック体からなる前部７１と、この前部７１の左右両側壁からそれぞれ後方に延びる左右一対の後部７２とで構成されている。より詳細には、操作レバー７０は、左右方向に平行に並ぶ一対の板状の側壁（延出部）７３，７３と、これら側壁７３，７３の前部を左右につなぐ前側壁７４とを有する。
【０１００】
操作レバー７０の各側壁７３，７３の内側面には、前後方向に延びるとともに内側に突出する保持用当接片７７，７７がそれぞれ設けられている。
【０１０１】
操作レバー７０の前部７１の上下方向の中央部分は、他の部分と比較して前方に突出しており、操作力を受ける操作受付部７８を構成している。この操作受付部７８は、側面視でで略三角形状を有しており、前方に向かって先細り形状となっている。
【０１０２】
各側壁７３，７３の前後方向の略中央部分からは、それぞれ左右方向の外側に円柱状のレバー側支軸７９，７９が突出している。
【０１０３】
また、各側壁７３，７３の後端からは、それぞれ左右外側に円柱状の操作力伝達部７５，７５が突出している。
【０１０４】
このように、本実施形態では、前後方向に延びる側壁７３，７３の前端に操作受付部７８が設けられて、後端に操作力伝達部７５が設けられている。
【０１０５】
左側の側壁７３には、その左側面から左側に突出するストッパ操作レバー７６が形成されている。このストッパ操作レバー７６は、側面視で略Ｕ字状を有しており、ストッパ操
作レバー７６の内側には一方（図１０に示した状態で前方）に開放する溝７６ａが形成されている。
【０１０６】
図２等に示すように、操作レバー７０は、その一部が第２凹部２５０内に挿入されて、この状態で筐体本体５０により回転可能に支持される。
【０１０７】
具体的には、操作レバー７０の各後部７２が、筐体本体５０の中間壁部２５６と前側の各立壁２１５との間の空間に挿入されつつ、操作レバー７０が第２凹部２５０内に挿入される。そして、第２凹部２５０の各立壁部２５１，２５１に形成された上記レバー側軸孔２５１ａ，２５１ａに各レバー側支軸７９が挿入される。このとき、レバー側支軸７９は、軸受壁２５５の下方に配置されて、軸受壁２５５と立壁部の左右内側の壁の上縁（レバー側軸孔２５１ａの下縁）との間で上下に挟みこまれ、これにより支持される。また、前記のように、軸受壁２５５の前端部分は円弧上に凹んでおり、この部分にレバー側支軸７９が配置されることで、レバー側支軸７９は、これら壁によってその中心軸回りに回転可能に支持される。このようにして、レバー側支軸７９は、左右方向に延びる軸回りに回転可能に立壁部２５１に支持される。これに伴い、操作レバー７０は、レバー側支軸７９の中心線であって左右に延びる軸回りに回転可能な状態で筐体本体５０に支持される。
【０１０８】
図１２は、計量米びつ１を組み立てた状態において、図7のＸＩＩ−ＸＩＩ線断面に対
応する部分を拡大して示した図である。図１３は、図１２に対応する図であって、操作レバー７０が下方に回転操作された状態を示した図である。
【０１０９】
筐体本体５０に支持された状態において、操作レバー７０は、図１２に示す位置であって操作レバー７０の前側壁７４の下端が筐体本体５０の前側壁５１ａ（詳細には、レバー収容室５２ａの後面）に後方から当接する導入位置と、図１３に示す位置であって操作レバー７０の前側壁７４の上端が筐体本体５０の前側壁５１ａに後方から当接する導出位置との間で回転する。なお、本実施形態では、導出位置にある状態で、操作レバー７０には後方からレバー規制部２５９が当接し、これによっても操作レバー７０の後方（下方）への移動が規制される。なお、レバー規制部２５９は、図７、図１２等に示すように、第２凹部２５０の底壁２５３に形成された上方に突出する部分である。
【０１１０】
図１４、図１５は、引き出しストッパ３１０の動作を示すための図であって、図１２、図１３に対応する図である。ただし、図１４、図１５では、この動作が明確になるように一部の図示を省略している。
【０１１１】
操作レバー７０が筐体本体５０に支持された状態において、ストッパ操作レバー７６に形成された溝７６ａ内には、引き出しストッパ３１０の突起部３１２が挿入される。そして、操作レバー７０が図１４に示すように導入位置にある状態から、図１５に示すように導出位置に回転すると、ストッパ操作レバー７６は溝７６ａの開口が前方を向く姿勢から下方を向くに姿勢に変化する。これに伴って、引き出しストッパ３１０の突起部３１２ひいては引き出しストッパ３１０は下方に変位する。また、操作レバー７０が導出位置から導入位置に変化すると、引き出しストッパ３１０の突起部３１２ひいては引き出しストッパ３１０は上方に移動する。
【０１１２】
＜トレー＞
図６等に示すように、筐体本体５０の前側壁５１ａの下部には、前後方向にこれを貫通するトレー挿入口（開口部）５２ｃが形成されており、筐体本体５０には、上壁５１ｅの下方、より詳細には落下口２５ａの下方に、トレー９０を収容可能な容器収容室５２ｈが形成されている。
【０１１３】
トレー９０は、貯留体１１０の落下口２５ａから落下し、後述する導入口６１ｄおよび投下口２１２を通って下方に投下された米を受けるものであり、上方に開口する箱状を有する。トレー９０は、単体で持ち運べるようになっており、トレー挿入口５２ｃを通して前方から筐体本体５０内に挿入されることで筐体本体５０に装着され、この状態から前方に引き抜かれることで筐体本体５０から分離する。すなわち、トレー挿入口５２ｃは、トレー９０が容器収容室５２ｈ内に配置された状態でトレー９０の前方への引出を許容する。
【０１１４】
トレー９０の前部には取っ手９１が設けられており、この取っ手９１を把持することで、トレー９０の抜き差しが容易に行えるようになっている。
【０１１５】
図１２等に示すように、トレー９０には、引き出しストッパ３１０と当接する引き出し防止用壁（当接部）９５が設けられている。
【０１１６】
引き出し防止用壁９５は板状部材であり、トレー９０の前面よりも後方の位置において、上下方向および左右方向に延びている（トレー９０が筐体本体５０に装着された状態において）。
【０１１７】
上記のように、操作レバー７０が導入位置から導出位置に回転するのに伴って、引き出しストッパ３１０は下方に変位する。このとき、図１５に示すように、引き出しストッパ３１０の板状部分３１１の下端に形成された切欠き３１１ａ内に、引き出し防止用壁９５の上端部が挿入される。このようにして、切欠き３１１ａ内に引き出し防止用壁９５の上端部が挿入されると、トレー９０を前後方向に操作した際に、引き出しストッパ３１０が引き出し防止用壁９５に前方から当接する。従って、トレー９０の前方への移動が規制される。本実施形態では、この状態において、引き出しストッパ３１０は引き出し防止用壁９５に後方からも当接可能となっており、トレー９０の後方への移動も規制される。なお、引き出しストッパ３１０の前後方向への移動は、筐体本体５０において、前後方向に互いに離間する位置に設けられて、上下方向に延びる一対のストッパ規制部２５８によって規制される。具体的には、引き出しストッパ３１０は、前後方向についてこれらストッパ規制部２５８で挟まれた部分に配置されており、これらストッパ規制部２５８が前方または後方から当接することで、引き出しストッパ３１０の前後方向への移動は規制される。
【０１１８】
ここで、本実施形態では、図１等に示すように、トレー９０がトレー挿入口５２ｃに差し込まれた状態において、トレー９０の前端部分が計量米びつ１全体の外側面の一部を構成するように構成されている。そして、このトレー９０の前端部分は、トレー９０がトレー挿入口５２ｃに差し込まれた状態において、取っ手９１を除き、この前端部分の外側面と、筐体本体５０の各側壁５１ａ〜５１ｄの外側面とが面一となるような形状とされている。
【０１１９】
＜ドラム＞
図１６は、ドラム６０の縦断面図である。図１７は、図１６のＸＶＩＩ−ＸＶＩＩ線断面図である。以下のドラム６０の説明では、ドラム６０が筐体本体５０に取り付けられた状態における前後、左右、上下方向を単に前後、左右、上下方向として説明する。
【０１２０】
ドラム６０は、貯留体本体２０の落下口２５ａから落下した米を計量してトレー９０に投下するための部材である。
【０１２１】
ドラム６０は、升部６１と、ドラム支軸（軸部）６２，６２と、２つの被操作突起（被操作部材）６３，６３とを有する。
【０１２２】
升部６１は、左右に延びる略円筒状を有しており、一定量の米を内側に充填可能な容積を有している。具体的には、升部６１は、略円筒状の周壁６１ａと、周壁６１ａの左右両端をそれぞれ塞ぐ一対の円板状の側壁６１ｂ，６１ｂとを有しており、これら壁６１ａ，６１ｂ，６１ｂによって米を一定量貯留可能な収容室６１ｃが区画されている。
【０１２３】
升部６１の周壁６１ａの一部は切り欠かれており、ドラム６０には、米を内側に導入可能な導入口６１ｄが形成されている。
【０１２４】
図１７に示すように、本実施形態では、升部６１の周壁６１ａの内周面の一部６１ａ＿１は、平坦な面とされている。
【０１２５】
図１６に示すように、升部６１の周壁６１ａの左右両端付近には、径方向内側に突出するアダプタ用突起６１ｆが形成されている。アダプタ用突起６１ｆは、升部６１の周壁６１ａの全周にわたって形成されている。本実施形態では、升部６１の周壁６１ａに左側端部にその左端から右側に離間した位置に、アダプタ用突起６１ｆが形成されている。
【０１２６】
アダプタ用突起６１ｆは、升部６１内の容積を変更して計量する米の量を変更するためのアダプタ６９を装着するための突起である。
【０１２７】
図１８はアダプタ６９の正面図である。アダプタ６９は、升部６１内の収容室６１ｃの断面形状と同じ平面形状を有する板状部材である。このアダプタ６９は、図１６の破線で示すようにアダプタ用突起６１ｆと升部６１の側壁６１ｂとで区画された部分に挿入されることで、升部６１内の容積を小さくする。本実施形態では、升部６１の収容室６１ｃ内に軸等が設けられておらず、また、導入口６１ｄが十分に大きく開口していることから、アダプタ６９を、装着時の姿勢すなわち側壁６１ｂと平行に延びる姿勢でアダプタ用突起６１ｆと側壁６１ｂとの間に対して抜き差しできるようになっている。例えば、アダプタ６９は、無洗米用であって、無洗米を用いる場合に装着される。
【０１２８】
ドラム支軸６２，６２は、升部６１の両側壁６１ｂ，６１ｂからそれぞれ左右方向の外側に延びている。ドラム支軸６２，６２の左右方向の両端部は円板状を有しており、ドラム支軸６２，６２は、この両端部の中心が周壁６１ａの中心軸上に位置するように設けられている。
【０１２９】
被操作突起６３，６３は、升部６１の周壁６１ａから周壁６１ａの径方向の外側に延びている。すなわち、被操作突起６３，６３は、ドラム６０のうち升部６１の軸方向の両端よりも左右方向の内側の位置に設けられている。被操作突起６３，６３は、周壁６１ａの軸に対して導入口６１ｄの反対側の部分に設けられている。
【０１３０】
図１６に示すように、２つの被操作突起６３，６３は、左右に離間した位置であって、升部６１の周壁６１ａの軸と直交し且つ周壁６１ａの軸方向の中心を通る平面を基準として、互いに対称となる位置に設けられている。すなわち、２つの被操作突起６３，６３を含む被操作突起の全体が、上記平面を基準として対称となる形状を有している。
【０１３１】
本実施形態では、周壁６１ａには、導入口６１ｄと反対側の部分に周壁６１ａの径方向内側に凹む凹部６１ｅが形成されている。そして、被操作突起６３，６３は、この凹部６１ｅの左右方向の両端部の底面から径方向外側に延びている。
【０１３２】
被操作突起６３は、それぞれ、周壁６１ａの周方向に離間した位置において互いに平行に延びる一対の当接壁（当接板）６３ａ，６３ａと、これら当接壁６３ａ，６３ａをつなぐ補強壁６３ｃとを有している。
【０１３３】
具体的には、右側の被操作突起６３の補強壁６３ｃは、当接壁６３ａ，６３ａの右縁間にわたって周壁６１ａの周方向に延びている。そして、これに伴い、右側の被操作突起６３には、当接壁６３ａ，６３ａと補強壁６３ｃとに囲まれて左方および周壁６１ａの径方向外側に開放する溝６３ｄが形成されている。
【０１３４】
一方、左側の被操作突起６３の補強壁６３ｃは、当接壁６３ａ，６３ａの左縁間にわたって周壁６１ａの周方向に延びている。そして、これに伴い、左側の被操作突起６３には、当接壁６３ａ，６３ａと補強壁６３ｃとに囲まれて右方および周壁６１ａの径方向外側に開放する溝６３ｄが形成されている。
【０１３５】
これら溝６３ｄには、操作レバー７０の操作力伝達部７５が挿入される。すなわち、これら溝６３ｄは、操作レバー７０の操作力伝達部７５が挿入される形状を有する。さらに、これら溝６３ｄは、操作力伝達部７５が溝６３ｄに沿って移動できるような形状を有している。また、被操作突起６３どうしの左右方向の離間距離は、操作レバー７０の操作力伝達部７５どうしの左右方向の離間距離とほぼ同じ寸法に設定されており、各被操作突起６３にそれぞれ各操作力伝達部７５が挿入できるようになっている。
【０１３６】
以上のように構成されたドラム６０は、上方から第１凹部２１０内に挿入されることで筐体本体５０に装着される。
【０１３７】
図１９は、ドラム６０を筐体本体５０に装着した状態を示した図であり、前後方向と直交する面における断面図である。図１９に示すように、ドラム６０の升部６１の下半部は升収容部２１１内に収容され、各ドラム支軸６２の下半部は、ドラム軸受２１４内に収容される。
【０１３８】
ここで、図２０を参照して、ドラム６０の装着手順について詳細に説明する。ドラム６０は、操作レバー７０が筐体本体５０に装着された状態で筐体本体５０に取り付けられる。すなわち、レバー側支軸７９がレバー側軸孔２５１ａに挿入されて、操作レバー７０がレバー側支軸７９の中心軸回りに回転可能に筐体本体５０に取り付けられた状態で、ドラム６０の装着が行われる。ドラム６０を取り付ける際には、図２０に示すように、操作受付部７８を下方に押圧操作して、操作レバー７０の後部７２を後斜め上方に傾斜する姿勢とする。そして、この状態で、各操作力伝達部７５をドラム６０の各被操作突起６３の溝６３ｄ内に、溝６３ｄの径方向外側の開放端から挿入する。これにより、操作レバー７０とドラム６０とは係合する。
【０１３９】
操作レバー７０とドラム６０とを係合させた後は、操作レバー７０の操作受付部７８を上方に操作しながら、ドラム６０を下方に移動させる。これにより、ドラム６０は、操作レバー７０と係合した状態で、筐体本体５０に装着される。
【０１４０】
＜カバー＞
図２１は、カバー８０の平面図である。図２２は、図２１のＸＸＩＩ−ＸＸＩＩ線断面図である。以下のカバー８０の説明では、カバー８０が筐体本体５０に取り付けられた状態における前後、左右、上下方向を単に前後、左右、上下方向として説明する。
【０１４１】
カバー８０は、ドラム６０を上方から覆う部材である。カバー８０は、ドラム６０の升部６１を上方から覆う升部側被覆部８１と、ドラム６０の各ドラム支軸６２を上方からそれぞれ覆う軸側被覆部８２，８２とを有する。
【０１４２】
具体的には、升部側被覆部８１は、左右方向に延びて断面略半円形状を有しており、升
部６１の上半部を上方から覆う。また、軸側被覆部８２，８２は、升部側被覆部８１の左右両壁８１ａ，８１ａから左右方向の外側に突出している。軸側被覆部８２，８２も、略半円形状の断面を有しており、ドラム支軸６２の上半部を上方から覆う。
【０１４３】
升部側被覆部８１の上面には、左右に延びる略長方形状の開口部８３が形成されている。
【０１４４】
カバー８０の前後方向の両端部の左右方向の両端付近には、上下方向に延びる板状の係止用板８４がそれぞれ設けられている。具体的には、升部側被覆部８１および軸側被覆部８２の前後方向の両縁からは、つば部８５がそれぞれ水平方向に延びており、このつば部８５から上方に係止用板８４が延びている。これら係止用板８４には、その上下略中央部分に、前後方向外側に突出する係止突起８４ａが形成されている。
【０１４５】
図１２等に示すように、カバー８０は、ドラム６０の上方から第１凹部２１０に挿入されて、これら係止突起８４ａが筐体本体５０の第１凹部２１０に形成された係止孔２１５ａ内に挿入されてこれと係合することで、ドラム６０を上方から覆う状態で筐体本体５０に固定される。そして、これにより、ドラム６０の上方への移動が規制される。なお、このとき、係止用板８４が前後方向に弾性変形することで係止突起８４ａは係止孔２１５ａ内に容易に挿入される。
【０１４６】
カバー８０の開口部８３は、落下口２５ａを内側に収容した状態で筐体本体５０に固定されて、落下口２５ａから落下した米を升部６１内に案内する。
【０１４７】
本実施形態では、開口８３の後側の縁部分に位置する升部側被覆部８１の下面（内周面）には発泡ポリエチレン３２０が貼り付けられている。具体的には、発泡ポリエチレン３２０は、カバー８０のうち開口部８３の後縁付近からこれよりも後ろ側の部分との間に設けられている。なお、本実施形態では、図１２等に示すように、ドラム６０の周壁６１ａの外周面の一部であって、ドラム６０の導入口６１ｄと落下口２５ａとが連通する状態で下側となる部分の外周面にも発泡ポリエチレン３２１が張り付けられている。
【０１４８】
（３）動作
以上のように構成された計量米びつ１は、図１２に示すように、操作レバー７０の操作受付部７８が導入位置に配置された状態で、ドラム６０の導入口６１ｄと落下口２５ａとが、カバー８０の開口部８３を介して互いに連通する。これに伴って、貯留室１１内の米はこれら開口６１ｄ，２５ａ，８３を通ってドラム６０内に落下し、所定の量の米がドラム６０内に貯留される。一方、投下口２１２はその全体が周壁６１ａにより塞がれ、投下口２１２を通した米の落下は規制される。
【０１４９】
このとき、図１２に示すように、操作レバー７０の保持用当接片７７は、筐体本体５０の保持突起２５７の下方であって保持突起２５７が保持用当接片７７に上方から当接可能な位置に配置され、この当接により、操作レバー７０の導出位置側への移動は規制される。
【０１５０】
この状態から、操作受付部７８が下方に押圧操作されると、操作レバー７０は、回動する。ただし、上記のように、操作レバー７０の導出位置側への移動は保持突起２５７と保持用当接片７７との当接により規制されており、この当接を解除する力が加えられて初めて操作レバー７０は回動する。具体的には、所定以上の力が加えられと、保持用当接片７７は保持突起２５７を乗り越えて上方に移動し、操作レバー７０は回動する。
【０１５１】
そして、操作レバー７０が回動すると、図１３に示すように、操作力伝達部７５が上方
に搖動し、これに伴って、操作力伝達部７５に係合しているドラム６０の被操作突起６３が上方に移動する。具体的には、操作力伝達部７５が被操作突起６３の上側の当接壁６３ａに下方から当接することで、被操作突起６３が上方に押上げられる。詳細には、このとき、操作力伝達部７５は、被操作突起６３の溝６３ｄ内を周壁６１ａの径方向外側に摺動しながら上方に移動する。
【０１５２】
これにより、被操作突起６３およびドラム６０はドラム６０の周壁６１ａの軸回りに搖動し、周壁６１ａがカバー８０の開口部８３を塞いでいく。操作受付部７８が下側の導出位置まで移動すると、周壁６１ａは、カバー８０の開口部８３および落下口２５ａの全体を塞ぎ、開口部８３および落下口２５ａからドラム６０内への米の落下が規制される。一方、周壁６１ａの導入口６１ｄと投下口２１２とが連通するようになり、投下口２１２からドラム６０内の米が落下する。落下した米は、トレー９０内に貯留される。このようにして、一定量の米がトレー９０内に投下される。
【０１５３】
ここで、操作受付部７８が導出位置まで移動する途中、操作レバー７０の下端部は、保持用係止片２５４を下方に押圧し、保持用係止片２５４の膨出部２５４ａの上端（膨出部２５４ａの最も上方に膨出している部分）を乗り越えて後方に移動する。従って、操作受付部７８が導出位置まで移動して、操作レバー７０の下端部が膨出部２５４ａの上端よりも後方まで移動すると、保持用係止片２５４が弾性復帰することで膨出部２５４ａが操作レバー７０の下端部に後方から当接するようになる。そして、これにより、操作レバー７０の下端部の前方への移動、すなわち、操作受付部７８の上方への回転が規制されて、操作レバー７０が導入位置側に戻るのが規制される。
【０１５４】
また、図１４，図１５を参照して前記説明したように、操作レバー７０が導入位置から導出位置に移動すると、引き出しストッパ３１０は下方に移動して、引き出しストッパ３１０の切欠き３１１ａ内に、引き出し防止用壁９５の上端部が挿入される。そして、トレー９０の前後方向の移動が規制される。
【０１５５】
一方、米をトレー９０に投下した後等において操作受付部７８が上方へ押圧操作されたときは、操作力伝達部７５が下方に搖動して被操作突起６３の下側の当接壁６３ａに上方から当接することで、被操作突起６３が下方に押し下げられる。そして、これにより、周壁６１ａが投下口２１２を塞ぐ方向にドラム６０は回転し、図１２に示す状態に戻る。このとき操作レバー７０は、膨出部２５４ａを下方に押圧しつつ回転する。
【０１５６】
また、引き出しストッパ３１０が上方に移動してトレー９０の前後方向の移動が許容される。また、上記のように、操作レバー７０が導入位置まで回動されるのに伴い、保持用当接片７７が保持突起２５７を乗り越えてその下方に配置され、これらの当接によって操作レバー７０の回動が規制される状態となる。
【０１５７】
（４）作用等
以上のように、本実施形態の計量米びつ１では、貯留体１１０と下部体１２０とを容易に分解することができる。さらに、ドラム６０を上方に引き上げることで容易に筐体本体５０から取り外すことができるとともに、ドラム６０を上方から容易に筐体本体５０に装着することができる。従って、ドラム６０の洗浄やドラム６０周りのメンテナンスを容易に行うことができる。
【０１５８】
また、ドラム６０のドラム支軸６２，６２が升部６１の左右両側壁６１ｂ，６１ｂから左右外側に延びており、升部６１の内側に軸部が貫通していない。そのため、升部６１内に米を円滑に落下させることができる。また、升部６１内により均等に米を導入することができ、米をより適切に計量することができる。
【０１５９】
ここで、ドラム６０を回転可能に筐体本体５０に支持しつつドラム６０を筐体本体５０に対して容易に脱着可能とするためには、筐体本体５０とドラム６０との連結は強固でない方が好ましい。しかしながら、このようにした場合には、ドラム６０が安定して回転しにくくなる。特に、上記のように、本実施形態では、ドラム６０を上方から第１凹部２１０に挿入するだけでドラム６０を筐体本体５０に装着できるようになっており、ドラム６０の着脱を非常に容易に行うことができる。しかしながら、ドラム６０の回転軸の上半部が支持されないため、ドラム６０の回転が不安定になりやすい。
【０１６０】
これに対して、本実施形態では、ドラム６０の周壁６１ａに、径方向外側に突出する被操作突起６３，６３が設けられて、この被操作突起６３，６３と操作レバー７０（操作力伝達部７５）とが係合するようになっている。すなわち、ドラム６０の周壁６１ａに、操作レバー７０を介して操作力が加えられるようになっている。そのため、ドラム６０に、その軸方向についてより均等に力を付与することができ、ドラム６０を安定して回転させることができる。特に、ドラム６０の周壁６１ａ部分は、周壁６１ａで囲まれた収容室６１ｃ内に米が導入されることでその重量が他の部分よりも大きくなる。従って、この重量の大きい周壁６１ａに直接的に操作力が加えられることで、ドラム６０を安定して回転させることができる。
【０１６１】
また、本実施形態では、被操作突起６３が、ドラム６０の周壁６１ａの周方向に並ぶ一対の当接壁６３ａ，６３ａを有し、これら当接壁６３ａ，６３ａの内側に操作力伝達部７５が挿入されることで被操作突起６３と操作力伝達部７５とが係合されている。そして、操作力伝達部７５が上下方向の変位（回転）する際には、いずれの方向であっても操作力伝達部７５が当接壁６３ａに当接してこれを押圧操作するようになっている。そのため、操作レバー７０に加えられた操作力をより確実に被操作突起６３およびドラム６０に伝達することができ、操作性が良好になる。
【０１６２】
さらに、当接壁６３ａ，６３ａ間に形成された溝６３ｄが、ドラム６０の周壁６１ａの径方向外側に開放して、上記のように、この開放端から当接壁６３ａ，６３ａ内に容易に操作力伝達部７５を挿入および当接壁６３ａ，６３ａから引き抜くことができるようになっている。そのため、上記のように、操作力をドラム６０により適切に付与可能としつつ、ドラム６０を容易に脱着可能として利便性を高めることができる。
【０１６３】
また、本実施形態では、２つの被操作突起６３が設けられて、これら被操作突起６３が、升部６１の周壁６１ａの軸と直交し且つ周壁６１ａの軸方向の中心を通る平面を基準として、互いに対称となる位置に設けられている。すなわち、これら被操作突起６３が、周壁６１ａの軸方向の中心線に対して互いに対称となる位置に設けられている。そのため、より確実に操作力をドラム６０にその軸方向について均一に付与することができる。
【０１６４】
また、本実施形態では、操作レバー７０が、ドラム６０の回転軸と平行に延びる軸回りに回転するように支持されている。そのため、簡単な構成で、操作受付部７８および操作力伝達部７５が上下方向に変位可能な状態で、操作レバー７０を安定して支持することができる。具体的には、例えば、操作レバー７０を上下方向にスライド変位させるように筐体本体５０に支持することもできるが、この場合には、構造が複雑になる。また、この場合には、操作レバー７０に加えられた力が、ドラム６０の回転軸と平行な方向について不均一である場合には、そのまま、ドラム６０に加えられる力も不均一になりやすい。これに対して、本実施形態では、操作レバー７０に加えられた力がドラム６０の回転軸と平行な方向について不均一であっても、両操作力伝達部７５の動きは同じに維持されるので、ドラム６０をその回転軸と平行な方向についてより均一に操作することができる。
【０１６５】
また、本実施形態では、操作レバー７０の操作受付部７８と操作力伝達部７５とが、前後方向、すなわち、ドラム６０の周壁６１ａの軸すなわちドラム６０の回転軸と直交する方向に延びる側壁７３の両端にそれぞれ設けられているとともに、前後方向についてこれら操作受付部７８と操作力伝達部７５との間の位置を通る軸回りに操作レバー７０が回転するようになっている。
【０１６６】
そのため、操作受付部７８に加えられた力をより適切に操作力伝達部７５およびドラム６０に伝えることができる。具体的には、例えば、操作レバー７０と操作力伝達部７５とがリンク機構等を介して接続されている場合には構造が複雑になる。また、例えば、操作受付部７８と操作力伝達部７５との間で操作レバー７０が屈曲している場合等では、操作レバー７０に加えらえた力のドラム６０の軸方向についての分布が偏るおそれがある。これに対して、この実施形態では、簡単な構成で、操作受付部７８に加えられた力をドラム６０の軸方向についてより均一にドラム６０に伝えることができる。
【０１６７】
また、本実施形態では、保持用係止片２５４、より詳細には、保持用係止片２５４の膨出部２５４ａによって、操作レバー７０が導出位置から導入位置側に回転するのが規制される。そのため、米をトレー９０に導出する場合において、操作レバー７０が導出位置に維持されるように操作受付部７８を押圧し続ける必要がなく、利便性が高められる。
【０１６８】
特に、本実施形態では、上下方向に弾性変位する保持用係止片２５４を用いて操作レバー７０の移動を規制しており、簡単な構成でこの規制を実現することができるとともに、操作レバー７０を容易に導入位置側に操作することもできる。
【０１６９】
さらに、本実施形態では、操作レバー７０が導出位置にある際には、引き出しストッパ３１０によって、トレー９０の前方への引き出しが規制される。そのため、米をトレー９０に導出している際に、トレー９０が前方に引き出されて、米がトレー９０以外の床等に散乱するのを抑制することができ、利便性が高められる。
【０１７０】
また、本実施形態では、第１凹部２１０に挿入されたドラム６０の上半部が、カバー８０によって覆われる。さらに、カバー８０は、ドラム６０を覆った状態で筐体本体５０に係止される。そのため、上記のように、ドラム６０の下半部のみを第１凹部２１０内に収容させる構成としてドラム６０の着脱を容易にしつつ、ドラム６０のがたつきを抑制することができる。特に、本実施形態では、カバー８０を係止するための係止孔２１５ａが、升部６１を収容する升収容部２１１の左右方向の中心に対して対称となる位置に設けられている。そのため、カバー８０によって升部６１の変位をその軸方向についてより均等に規制することができ、ドラム６０を安定して回転させることができる。
【０１７１】
また、本実施形態では、貯留体１１０が、互いに別体の貯留体本体２０と補強板３０とで構成されて、補強板３０が貯留体本体２０の開口２０ａに係合されるようになっている。そのため、貯留体１１０の変形を抑制することができる。
【０１７２】
具体的には、上記のように、本実施形態では、貯留体１１０と下部体１２０とが着脱可能に連結されており、貯留体１１０の剛性が確保しにくい。そのため、多量の米が貯留室１１に導入されると、その重みによって貯留体１１０の側壁２１が変形するおそれがある。これに対して、この実施形態では、貯留体本体２０の側壁２１の上縁で囲まれた開口２０ａに、補強板３０が係合されることで、側壁２１の変形が補強板３０により規制される。そのため、側壁２１ひいては貯留体１１０の変形を抑制することができる。
【０１７３】
しかも、本実施形態では、このように貯留体本体２０と補強板３０とを別体としつつ、これらの外周面が上下に平坦に連続するようになっており、貯留体本体２０ひいては計量
米びつ１の見栄えを良好にすることができる。
【０１７４】
また、本実施形態では、補強板３０に開口３０ａが形成され、この開口３０ａを開閉する蓋部４０が設けられるとともに、蓋部４０と補強板３０との間にパッキン３００が挟み込まれるようになっている。そのため、開口３０ａを通して容易に米を貯留室１１内に導入することを可能としつつ、開口部３０ａを介して水が貯留室１１内に進入するのを抑制することができる。
【０１７５】
（５）変形例
上記実施形態では、ドラム６０が左右方向、すなわち、計量米びつ１の幅方向（短手方向）に延びるように配置された場合について説明したが、ドラム６０の中心軸が計量米びつ１の長手方向に沿って延びるようにドラム６０を配置してもよい。
【０１７６】
操作レバー７０の具体的な形状およびこれの支持構造は上記に限らない。例えば、操作レバー７０は上下方向当にスライド移動可能に支持されてもよい。
【０１７７】
上記実施形態では、升収容部２１１およびドラム軸受２１４にそれぞれドラム６０の升部６１の下半部およびドラム支軸６２，６２の下半部が挿入される場合について説明したが、升収容部２１１およびドラム軸受２１４に収容される部分はこれに限らない。
【０１７８】
また、筐体本体５０の立壁２１５に形成される係止孔２１５ａの数や配置は、上記に限らない。上記保持用係止片（操作部材規制部）２５４、ストッパ３１０は省略可能である。
【０１７９】
また、補強板３０と、貯留体本体２０とを一体に成形してもよい。
【符号の説明】
【０１８０】
１  計量米びつ
１１  貯留室
２１  外側壁
２５ａ  落下口
３０  補強板（補強壁）
３０ａ  開口部
３６  パッキン収容溝
４０  蓋部
５０  筐体本体
６０  ドラム（計量部材）
６１  升部
６１ａ  周壁
６１ｂ  ドラムの側壁
６１ｃ  収容室
６２  ドラム支軸（軸部）
６３  被操作突起（被操作部材）
６３ａ  当接壁（当接板）
７０  操作レバー（操作部材）
７３  側壁（延出部）
７５  操作力伝達部
７８  操作受付部
８０  カバー
９０  トレー（米受け容器）
９５  引き出し防止用壁（当接部）
１２１  筐体
２１０  第１凹部（凹部）
２１２  投下口
２１５ａ  係止孔（カバー係止部）
２５４  保持用係止片（操作部材規制部）
３００  パッキン
３１０  ストッパ（容器引き出し規制部）
【図１】
0006796317.tif 000002
【図２】
0006796317.tif 000003
【図３】
0006796317.tif 000004
【図４】
0006796317.tif 000005
【図５】
0006796317.tif 000006
【図６】
0006796317.tif 000007
【図７】
0006796317.tif 000008
【図８】
0006796317.tif 000009
【図９】
0006796317.tif 000010
【図１０】
0006796317.tif 000011
【図１１】
0006796317.tif 000012
【図１２】
0006796317.tif 000013
【図１３】
0006796317.tif 000014
【図１４】
0006796317.tif 000015
【図１５】
0006796317.tif 000016
【図１６】
0006796317.tif 000017
【図１７】
0006796317.tif 000018
【図１８】
0006796317.tif 000019
【図１９】
0006796317.tif 000020
【図２０】
0006796317.tif 000021
【図２１】
0006796317.tif 000022
【図２２】
0006796317.tif 000023